(57)【要約】【課題】カラーフィルタ基板の製造工程の識別コードの読取りにて、収納ケースに収納する前に識別コードを読取ることなく、収納ケース毎のカラーフィルタ基板データを取得するカラーフィルタ基板読取装置を提供する。【解決手段】識別コードを読取る読取りユニットとして、１）カラーフィルタ基板に設けられた識別コードに照明光を照射する光源１、２）識別コードを通過した透過光を直角に反射する反射鏡２、３）反射鏡からの反射光を受光し、識別コードを読取るＣＣＤカメラ３で構成される読取りユニット１０を少なくとも具備すること。光源と反射鏡とＣＣＤカメラが一体的に連結されていること。【選択図】図３
2008216849.tif 000002
【特許請求の範囲】
【請求項１】
カラーフィルタ基板が収納ケースに収納された状態で、該カラーフィルタ基板の周縁部の有効画面外に設けられた識別コードを読取るカラーフィルタ基板読取装置であって、
前記識別コードを読取る読取りユニットとして、少なくとも、
１）カラーフィルタ基板に設けられた識別コードを、カラーフィルタ基板の一方の面側から照明光を照射する光源、
２）該識別コードを通過した透過光を直角に反射する反射鏡、
３）該反射鏡からの反射光を受光し、識別コードを読取るＣＣＤカメラ、
で構成される読取りユニットを少なくとも具備することを特徴とするカラーフィルタ基板読取装置。
【請求項２】
前記読取りユニットの光源と反射鏡が一体的に連結されていることを特徴とする請求項１記載のカラーフィルタ基板読取装置。
【請求項３】
前記読取りユニットの光源と反射鏡とＣＣＤカメラが一体的に連結されていることを特徴とする請求項１記載のカラーフィルタ基板読取装置。
【請求項４】
前記読取りユニットの反射鏡とＣＣＤカメラの光軸を垂直にし、光源と反射鏡、或いは光源と反射鏡とＣＣＤカメラを一体的に垂直方向に昇降させて、識別コードを読取ることを特徴とする請求項２又は請求項３記載のカラーフィルタ基板読取装置。
【請求項５】
前記読取りユニットにカラーフィルタ基板を感知する基板センサーが設けられていることを特徴とする請求項１〜請求項４のいずれか１項に記載のカラーフィルタ基板読取装置。
【請求項６】
前記基板センサーによって得られた信号により読取りユニットの移動及び読取りユニットとカラーフィルタ基板との接触を防止していることを特徴とする請求項５に記載のカラーフィルタ基板読取装置。
【発明の詳細な説明】
【技術分野】
【０００１】
本発明は、カラーフィルタ基板の識別コードを読取るカラーフィルタ基板読取装置に関するものであり、特に、カラーフィルタ基板を収納ケースに収納する前に１枚毎に識別コードを読取ることなく、収納ケース毎のカラーフィルタ基板データを取得することができるカラーフィルタ基板読取装置に関する。
【背景技術】
【０００２】
表示装置に用いられるカラーフィルタ基板には、製造工程において基板を個別管理をするために、１枚毎に異なる種々の識別コード（例えば、ＩＤコード）が設けられている。このＩＤコードとしては、例えば、２次元コードが用いられている。この２次元コードは、カラーフィルタ基板の周縁部の有効画面外に設けられており、この２次元コードをＣＣＤカメラで読取るようになっている。
例えば、収納ケースにカラーフィルタ基板を収納する際には、２次元コードをＣＣＤカメラで読取ってから収納ケースに収納し、収納ケース毎のカラーフィルタ基板データを取得するようにしている。
【０００３】
しかし、実際の製造工程においては、一旦収納ケースにカラーフィルタ基板を収納した後に収納ケースが変更になることがあり、この際には、改めて、１枚毎に２次元コードをＣＣＤカメラで読取ることになるといった問題がある。
また、１枚毎の読取りに、例えば、カラーフィルタ基板を搬送するコンベアーを設けた読取装置を用いた際には、読取りのための搬送によるカラーフィルタ基板の汚れや傷が発生することもある。
【０００４】
例えば、特開平２−２１０４０２公報には、カラーフィルタの非有効画像部に識別可能なコードマークを設けたことを特徴とする識別マーク付カラーフィルタが開示されている。この識別マーク付カラーフィルタは、その識別作業の際の取り扱い上の不良発生又は類似した文字又は数字表示のための識別ミスなどのないカラーフィルタを得ることを目的とするものである。
コードマークの読取りは、例えば、光学的に読取るものとしている。ここでは、装置で読取る場合、ＰＯＳで使用されるスキャナなどの他、透過光、反射光を利用して読取ることを指している。
しかしながら、読取装置に関して具体的には何ら述べていない。
【特許文献１】特開平２−２１０４０２号公報
【発明の開示】
【発明が解決しようとする課題】
【０００５】
本発明は、上記問題を解決するためになされたものであり、カラーフィルタ基板の製造工程における基板に形成されたＩＤコードの読取りにおいて、カラーフィルタ基板を収納ケースに収納する前に１枚毎にＩＤコードを読取ることなく、収納ケース内に収納された状態でカラーフィルタ基板データを取得することができるカラーフィルタ基板読取装置を提供することを課題とするものである。
【０００６】
これにより、例えば、一旦収納ケースにカラーフィルタ基板を収納した後に、収納ケースが変更になっても、変更になった収納ケースに収納し直す前に、改めて１枚毎にＩＤコードをＣＣＤカメラで読取ることが不要なものとなる。
【課題を解決するための手段】
【０００７】
本発明は、カラーフィルタ基板が収納ケースに収納された状態で、該カラーフィルタ基板の周縁部の有効画面外に設けられた識別コードを読取るカラーフィルタ基板読取装置であって、
前記識別コードを読取る読取りユニットとして、少なくとも、
１）カラーフィルタ基板に設けられた識別コードを、カラーフィルタ基板の一方の面側から照明光を照射する光源、
２）該識別コードを通過した透過光を直角に反射する反射鏡、
３）該反射鏡からの反射光を受光し、識別コードを読取るＣＣＤカメラ、
で構成される読取りユニットを少なくとも具備することを特徴とするカラーフィルタ基板読取装置である。
【０００８】
また、本発明は、上記発明によるカラーフィルタ基板読取装置において、前記読取りユニットの光源と反射鏡が一体的に連結されていることを特徴とするカラーフィルタ基板読取装置である。
【０００９】
また、本発明は、上記発明によるカラーフィルタ基板読取装置において、前記読取りユニットの光源と反射鏡とＣＣＤカメラが一体的に連結されていることを特徴とするカラーフィルタ基板読取装置である。
【００１０】
また、本発明は、上記発明によるカラーフィルタ基板読取装置において、前記読取りユニットの反射鏡とＣＣＤカメラの光軸を垂直にし、光源と反射鏡、或いは光源と反射鏡とＣＣＤカメラを一体的に垂直方向に昇降させて、識別コードを読取ることを特徴とするカラーフィルタ基板読取装置である。
【００１１】
また、本発明は、上記発明によるカラーフィルタ基板読取装置において、前記読取りユニットにカラーフィルタ基板を感知する基板センサーが設けられていることを特徴とするカラーフィルタ基板読取装置である。
【００１２】
また、本発明は、上記発明によるカラーフィルタ基板読取装置において、前記基板センサーによって得られた信号により読取りユニットの移動及び読取りユニットとカラーフィルタ基板との接触を防止していることを特徴とするカラーフィルタ基板読取装置である。
【発明の効果】
【００１３】
本発明は、識別コードを読取る読取りユニットとして、少なくとも、１）カラーフィルタ基板に設けられた識別コードを、カラーフィルタ基板の一方の面側から照明光を照射する光源、２）該識別コードを通過した透過光を直角に反射する反射鏡、３）該反射鏡からの反射光を受光し、識別コードを読取るＣＣＤカメラで構成される読取りユニットを具備するカラーフィルタ基板読取装置であるので、カラーフィルタ基板を収納ケースに収納する前に１枚毎に識別コードを読取ることなく、収納ケース毎のカラーフィルタ基板データを取得することができるカラーフィルタ基板読取装置となる。
【００１４】
これにより、例えば、一旦収納ケースにカラーフィルタ基板を収納した後に、収納ケースが変更になっても、変更になった収納ケースに収納し直す前に、改めて１枚毎に識別コードをＣＣＤカメラで読取ることが不要なものとなる。
また、例えば、カラーフィルタ基板を搬送するコンベアーを設けた読取装置を用いた際に、読取りのための搬送によるカラーフィルタ基板の汚れや傷が発生するといった懸念は払拭される。
また、収納ケースに収納されたカラーフィルタ基板の識別コードを読取るために、例えば、コンベアーを設けた読取装置を用いる読取方法に比較して、読取時間が短縮され、時間当たりの処理量は増大したものとなる。
【発明を実施するための最良の形態】
【００１５】
以下に本発明の実施の形態を詳細に説明する。
図１は、本発明によるカラーフィルタ基板読取装置の読取りユニット（１０）の概略を模式的に示す側面図である。図１に示すように、本発明における読取りユニット（１０）は、１）カラーフィルタ基板（ＣＦ）の１枚毎に設けられた識別ード（ＩＤコード）を、カラーフィルタ基板の一方の面側（例えば、裏面側）から照明光を照射する光源（１）、２）このＩＤコードを通過した透過光を直角に反射する反射鏡（２）、３）この反射鏡からの反射光を受光し、ＩＤコードを読取るＣＣＤカメラ（３）で構成され、ＣＣＤカメラ（３）は反射鏡（２）を介してカラーフィルタ基板（ＣＦ）に設けられたＩＤコードを読取るものである。
【００１６】
ＩＤコードを読取る際には、光源（１）と反射鏡（２）との間にカラーフィルタ基板（ＣＦ）の周縁部を挿入した状態にし、ＩＤコードを通過した透過光を反射鏡（２）にて直角に反射させることにより、カラーフィルタ基板（ＣＦ）面（ａ）と、反射鏡（２）とＣＣＤカメラ（３）の間の光軸（ｂ）を平行なものとする。
これにより、図１に示すように、例えば、収納ケースに垂直に収納された状態のカラーフィルタ基板（ＣＦ）の、上方に位置するＣＣＤカメラ（３）によってＩＤコードを読取ることができるものとなる。あるいは、例えば、図２に示すように、収納ケースに水平に収納された状態のカラーフィルタ基板（ＣＦ）を、右方に位置するＣＣＤカメラ（３）によってＩＤコードを読取ることができるものとなる。
【００１７】
図３は、本発明によるカラーフィルタ基板読取装置の読取りユニット（１０）の一実施例の概略を拡大して示す断面図である。図３に示す読取りユニット（１０）は、収納ケースに垂直に収納された状態のカラーフィルタ基板（ＣＦ）を、その上方からＣＣＤカメラ（３）によってＩＤコードを読取る例である。
また、この例は、読取りユニットの光源（１）と反射鏡（２）とＣＣＤカメラ（３）が一体的に直立して連結されており、これが一体的に垂直（図４中のＺ軸）方向に昇降する例である。
【００１８】
支軸（４）は、ＣＣＤカメラ（３）と、光源（１）及び反射鏡（２）を連結している。図３中、支軸（４）の下方の端部には、支軸（４）からクランク状に折曲がって分岐した分岐部（４ｂ）がある。支軸先端部（４ａ）と分岐部（４ｂ）とを平行に近接させ、この間に隙間を設け、この隙間にカラーフィルタ基板（ＣＦ）の周縁部を挿入した状態にするようにしている。
分岐部（４ｂ）には、反射鏡（２）による反射光の光路として貫通口（４ｃ）が設けられている。
【００１９】
支軸先端部（４ａ）の隙間側には、ＩＤコードをカラーフィルタ基板の裏面側から照明する光源（１）、例えば、ＥＬ光源が設けられ、また、分岐部（４ｂ）の隙間側には、ＩＤコードを通過した透過光を直角に反射する反射鏡（２）が設けられている。
ＣＣＤカメラ（３）は、貫通口（４ｃ）、反射鏡（２）を介してカラーフィルタ基板（ＣＦ）上のＩＤコード（ＣＯ）を読取るようになっている。
【００２０】
ＩＤコード（ＣＯ）は、例えば、２次元コードであり、カラーフィルタ基板の周縁部の有効画面外に設けられている。この２次元コードは、表示装置に用いられるカラーフィルタ基板（ＣＦ）を構成するブラックマトリックスを形成する際に、例えば、有効画面外のブラックマトリックスにレーザーマーキングにより設けられる。
【００２１】
支軸先端部（４ａ）の下端には、カラーフィルタ基板の上方からカラーフィルタ基板（ＣＦ）を感知する基板センサー（５）が設けられている。この基板センサー（５）からの信号は図示しない制御・駆動手段に送られる。制御・駆動手段ににより、読取りユニット（１０）は図中Ｚ軸方向の昇降、及びＸ軸方向の移動をするようになっている。
また、読取りユニットがＸ軸方向、Ｚ軸方向に移動する際に、読取りユニットと基板とが接触する可能性があるが、基板センサーからの信号により読取りユニットを移動することで接触を防止する。
読取りユニット（１０）は、後記するガントリ（構台）内に設けられた昇降機構（制御・駆動手段）によりＺ軸方向を自在に昇降できるようになっている。
【００２２】
図３に示す例は、光源（１）と反射鏡（２）とＣＣＤカメラ（３）が一体的に連結されており、これが一体的に昇降する例であるが、ＣＣＤカメラ（３）は固定され、光源（１）と反射鏡（２）が一体的に昇降する構造の読取りユニットでもよい。
【００２３】
図４は、本発明によるカラーフィルタ基板読取装置の一例の概略を示す側面図である。図４に示す例は、収納ケースに垂直に収納された状態のカラーフィルタ基板（ＣＦ）を、その上方からＣＣＤカメラ（３）によってＩＤコードを読取るカラーフィルタ基板読取装置の例である。
図４に示すように、このカラーフィルタ基板読取装置は、収納ケース搬送部（２０）、読取りユニットの移動部（３０）、ガントリ（構台）（３３）内に設けられた昇降機構（図示せず）に取付けられた読取りユニット（１０）で構成されている。
【００２４】
収納ケース搬送部（２０）は、カラーフィルタ基板（ＣＦ）が収納された収納ケース（４０）を、図４中、左方から規定の読取位置に搬送して固定し、読取終了後には固定を解除して、図４中、右方へと搬送する。
図４は、規定の読取位置に収納ケース（４０）が固定され、ＩＤコードを読取る状態を表している。
【００２５】
読取りユニットの移動部（３０）は、ガントリ（構台）（３３）と、トロッコ（３２）と、Ｘ軸レール（３１）で構成されている。
読取りユニットの移動部（３０）のガントリ（構台）（３３）は、トロッコ（３２）上に設けられており、Ｘ軸レール（３１）上をＸ軸方向に自在に移動できるようになっている。
また、ガントリ（構台）（３３）内には昇降機構が設けられており、読取りユニット（１０）をＸ軸方向に昇降させるようになっている。
【００２６】
カラーフィルタ基板の周縁部の有効画面外に設けられているＩＤコードを読取る動作は、例えば、先ずカラーフィルタ基板が収納された収納ケース（４０）を、収納ケース搬送部（２０）の図４中、左端部上に載置する。この位置で収納ケース（４０）の形状、及びＩＤコードのカラーフィルタ基板上での位置を入力する。
次に、収納ケース搬送部（２０）は、収納ケース（４０）を規定の読取位置に搬送し、収納ケース搬送部（２０）上で固定する。
【００２７】
次に、ガントリ（構台）（３３）は、図４中、左方から収納ケース（４０）に接近する。収納ケース（４０）内のカラーフィルタ基板（ＣＦ）より上方に位置する読取りユニット（１０）の支軸先端部（４ａ）の下端に設けられた基板センサー（５）は、カラーフィルタ基板（ＣＦ）を感知する。ガントリ（構台）（３３）は、読取りユニット（１０）が図４中、収納ケース（４０）内で最左方のカラーフィルタ基板（ＣＦ）上方に達した際に、移動を停止する。
【００２８】
次に、予め入力されているＩＤコードのカラーフィルタ基板上での位置情報を基に、読取りユニット（１０）は降下し、前記支軸先端部（４ａ）と分岐部（４ｂ）との間の隙間にカラーフィルタ基板（ＣＦ）の周縁部を挿入した状態になった時点で降下を停止する。この状態でＣＣＤカメラ（３）はＩＤコードの読取りを行う。
次に、ＩＤコードの読取りが終了すると、ガントリ（構台）（３３）の昇降機構はは読取りユニット（１０）を上昇させ、続いてガントリ（構台）（３３）は、読取りユニット（１０）をカラーフィルタ基板（ＣＦ）上方で図４中、右方へ移動させる。
【００２９】
読取りユニット（１０）の支軸先端部（４ａ）の下端に設けられた基板センサー（５）の作動により図４中、収納ケース（４０）内での左方より２枚目のカラーフィルタ基板（ＣＦ）上方に達した際に移動を停止する。
以降、前記最左方の１枚目のカラーフィルタ基板（ＣＦ）の際と同様にしてＣＣＤカメラ（３）はＩＤコードの読取りを行う。
【００３０】
図４は、収納ケース（４０）内での左方より２枚目のカラーフィルタ基板（ＣＦ）のＩＤコードの読取りを行っている状態を表したものである。順次に同様な動作を繰り返し、収納ケース（４０）内の全てのカラーフィルタ基板（ＣＦ）のＩＤコードの読取りを行った後に、収納ケース搬送部（２０）は、収納ケース（４０）の固定を解除し、収納ケース（４０）を図４中、右方へと搬送する。
【００３１】
上記のように、本発明によるカラーフィルタ基板読取装置においては、カラーフィルタ基板の製造工程におけるＩＤコードの読取りは、カラーフィルタ基板が収納ケースに収納された後に、カラーフィルタ基板のＩＤコードを１枚毎に読取り、収納ケース毎のカラーフィルタ基板データを取得することができる。
つまり、カラーフィルタ基板を収納ケースに収納する前に、１枚毎にＩＤコードを読取る必要がない。従って、例えば、一旦収納ケースにカラーフィルタ基板を収納した後に、収納ケースが変更になっても、変更になった収納ケースに収納し直す前に、改めて１枚毎にＩＤコードをＣＣＤカメラで読取ることは不要なものとなる。
【００３２】
また、事前に所定のＩＤコードを図示しない記憶手段に登録しておき、上記手段にて読み取ったＩＤコードとの照合を行えば、収納ケースに収納してはならない基板が収納ケースに混入していることを検出できる。これにより、間違えて基板を次工程に運搬することを防止できる。
【００３３】
また、１枚毎の読取りに、例えば、カラーフィルタ基板を搬送するコンベアーを設けた読取装置を用いた際に、読取りのための搬送によるカラーフィルタ基板の汚れや傷が発生するといった懸念は払拭される。
また、本発明によるカラーフィルタ基板読取装置においては、収納ケースに収納されたカラーフィルタ基板のＩＤコードを読取るために、従来の、例えば、コンベアーを設けた読取装置を用いる読取方法に比較して、読取時間が短縮され、時間当たりの処理量は増大したものとなる。
【図面の簡単な説明】
【００３４】
【図１】本発明によるカラーフィルタ基板読取装置の読取りユニットの概略を模式的に示す側面図である。
【図２】収納ケースに水平に収納された状態のカラーフィルタ基板のＩＤコードを読取る読取りユニットを示す側面図である。
【図３】本発明によるカラーフィルタ基板読取装置の読取りユニットの一実施例の概略を拡大して示す断面図である。
【図４】本発明によるカラーフィルタ基板読取装置の一例の概略を示す側面図である。
【符号の説明】
【００３５】
１・・・光源
２・・・反射鏡
３・・・ＣＣＤカメラ
４・・・支軸
４ａ・・・支軸先端部
４ｂ・・・分岐部
４ｃ・・・貫通口
５・・・基板センサー
１０・・・本発明のカラーフィルタ基板読取装置の読取りユニット
２０・・・収納ケース搬送部
３０・・・読取りユニットの移動部
３１・・・Ｘ軸レール
３２・・・トロッコ
３３・・・ガントリ（構台）
４０・・・収納ケース
ＣＦ・・・カラーフィルタ基板
ＣＯ・・・ＩＤコード
ａ・・・カラーフィルタ基板面
ｂ・・・反射鏡とＣＣＤカメラの間の光軸
【図１】
2008216849.tif 000003
【図２】
2008216849.tif 000004
【図３】
2008216849.tif 000005
【図４】
2008216849.tif 000006